(57)【要約】      （修正有）【課題】取り扱い易い安価に製作できる機構で、しかも湿布を貼る患部の形状にこだわらず誰でも一人で簡単に確実に貼り付けることができる優れた湿布貼付具を提供する。【解決手段】湿布貼付具１００は、握り手２０１から背中に回す曲り操作アーム２００を有し、曲り操作アーム２００の先部に、湿布Ｓの裏面を表面で当接支持する柔軟性弾性板３００の裏面幅中央部を取り付け、柔軟性弾性板３００の表面の所定部に、湿布Ｓの裏面を接着保持する接着シート３０１を交換可能に配置し、曲り操作アーム２００の握り手２０１側に、柔軟性弾性板３００を反背中側に湾曲させる牽引機構を設置してなる。【選択図】図１
0003204957.tif 000002
【実用新案登録請求の範囲】
【請求項１】
握り手から背中に回す曲り操作アームを有し、前記曲り操作アームの先部に、湿布の裏面を表面で当接支持する柔軟性弾性板の裏面幅中央部を取り付け、前記柔軟性弾性板の表面の所定部に、湿布の裏面を接着保持する接着シートを交換可能に配置し、前記曲り操作アームの握り手側に、前記柔軟性弾性板を反背中側に湾曲させる牽引機構を設置してなることを特徴とする湿布貼付具。
【考案の詳細な説明】
【技術分野】
【０００１】本考案は、一人で手が届かない患部例えば背中に、容易に湿布を貼り付けできる湿布貼付具に関するものである。
【背景技術】
【０００２】  手が届かない肩や背中などへの湿布薬の貼付は、なかなか正確な位置に貼ることが出来ない上、湿布剤がよじれてついたり重なったりするため、人の手を借りることが多い。しかも、着衣のままでの貼付は困難である。
ましてや独り暮しの人は、背中への湿布薬の貼付は極めて困難であり、他人に貼ってもらう場合も、脱衣又は脱衣に近い状態にならなければならず、面倒なだけでなく、肌を露出して寒さを気にしなければならずまた他人の手を借りることは人目が気になり抵抗を感じる人には不便である。【０００３】  そこで従来、湿布貼付具として、ローラ式湿布貼付具（：特開平１０−５７４１６号公報、特開２００５−２６１８９９号公報、実用新案登録第３１２０２１５号公報）、取っ手付貼り付け板（特開２００４−２０９０１１号公報）、湿布挟み持ち式貼付具（：特開２００６−１５８４０６号公報）、マグネット押さえ式湿布貼付具（：実用新案登録第３１９８５０４号公報）等々、種々の考案が紹介されている。
しかし、これら公知の湿布貼付具は、いずれも複雑な機構と取り扱い方が難しく、しかもコストが高くなるなど改善の課題が多い。【０００４】  例えば特開平１０−５７４１６号公報に紹介のローラ式湿布貼付具は、湿布をローラで背中に貼付ける場合、湿布のシートを上にして、粘着面を下にして一方のローラーの表面に貼り付ける。そしてローラーを少し回転させて、湿布をローラーの間を通して先端を下方に引出して垂れ下げ、次にホルダーの把持部を手に持って、ローラー側を背中に向けてから、湿布の先端側の粘着面を背中に押し当て、２本のローラーを背中に押し当てたままホルダーを引上げると、一方のローラーが逆回転しながら他方のローラーにより順次押し付けられ、湿布が背中に貼り付けられるようにしている。
しかし、ローラーの押し当てと、移動により湿布を送り出す構造であるため、把持部の動かし方や背中への押し付け加減が難しく、湿布が背中にうまく貼られずにローラーに巻き付いたり、また、肩甲骨付近のように身体表面に凹凸がある部分にはローラーが浮き上がり、湿布がうまく貼り付かない。更には、ホルダーを手前側に引き寄せて湿布を背中に貼り付ける構造であるため、腕の力の弱い高齢者などにとってはうまく貼り付けられず、しかも構造が複雑でコストが高くなる。
【考案の開示】
【考案が解決しようとする課題】
【０００５】  本考案は、取り扱い易い安価に製作できる機構で、しかも湿布を貼る患部の形状にこだわらず誰でも一人で簡単に確実に貼り付けることができる優れた湿布貼付具を提供する。
【課題を解決するための手段】
【０００６】  本考案は上記目的を達成するためになされたものでありその機構的特徴とするところは次の（１）〜（２）の通りである。【０００７】（１）、握り手から背中に回す曲り操作アームを有し、前記曲り操作アームの先部に、湿布の裏面を表面で当接支持する柔軟性弾性板の裏面幅中央部を取り付け、前記柔軟性弾性板の表面の所定部に、湿布の裏面を接着保持する接着シートを交換可能に配置し、前記曲り操作アームの握り手側に、前記柔軟性弾性板を反背中側に湾曲させる牽引機構を設置したことを特徴とする湿布貼付具。【０００８】（２）、前記牽引機構は、前記柔軟性弾性板の裏面の上下の各幅方向端部に接続して当該幅方向に亘る張紐と、これら各張紐の中央部に連結し前記曲り操作アームの握り手部に至らせて牽引可能に配置した牽引紐と、前記牽引紐を係止するストッパーとから構成してなることを特徴とする前記（１）に記載の湿布貼付具。
【考案の効果】
【０００９】  本考案の湿布貼付具は、前記機構的特徴により安価に製作できる機構であり、次に紹介の簡単な取り扱いにより、湿布を貼る患部の形状にこだわらず誰でも一人で簡単に確実にパシッと貼り付けることができる優れた作用効果を呈する。
＜取り扱い例＞
Ｉ、柔軟性弾性板の表面に、予め広げた湿布の裏面を当接し接着シートにより落ちないように軽く接着支持する。
ＩＩ、次いで牽引機構の牽引紐を引っ張り、柔軟性弾性板を湿布と共に裏側に湾曲反らし、この状態で牽引紐の牽引状態をストッパーで係止する。
ＩＩＩ、次いで握り握り手を持ち、曲り操作アームを背中側に回して、柔軟性弾性板の湿布を患部の表面に持っていき、湿布の幅方向中央部のみを患部の中央部に当接する。
ＩＶ、次いでストッパーを外して反り状態の柔軟性弾性板を元の形状に戻し、湿布の全表面を患部に貼り付ける。その後柔軟性弾性板をそっと離し湿布の上を軽く数回叩いて馴染ませておくことにより湿布の剥がれ落ちを防止する。
柔軟性弾性板の元の形状つまり復元形状は、患部の形状に沿わせて形成しておくことが好ましいが、フラットでも問題なく貼り付けることが可能である。
【図面の簡単な説明】
【００１０】
【図１】本考案の湿布貼付具の実施例を示す表面図である。
【図２】本考案の湿布貼付具の実施例を示す裏面図である。
【図３】本考案の湿布貼付具の実施例を示す側面図である。
【図４】本考案の湿布貼付具において、図３の状態から牽引機構４００により軟性弾性板３００を裏側に湾曲させて湿布Ｓを患部に貼る準備を完了した状態を示す側面説明図（１）と（１）の矢視Ａ−Ａから見た正面説明図（２）である。
【考案を実施するための形態】
【００１１】本考案の湿布貼付具の実施形態は、実施例１により詳細に説明する。
【実施例１】
【００１２】図１〜図４に示す湿布貼付具１００の実施例において、本例の湿布貼付具１００は、曲り操作アーム２００と、湿布Ｓの貼付け用の柔軟性弾性板３００と、牽引機構４００とを主な構成とする。【００１３】曲り操作アーム２００は、樹脂製パイプであり握り手２０１を基部に形成し、背中に回す側の前部の曲り部２０２の先部に、柔軟性弾性板３００の裏面幅中央部をネジ等で取り付ける。【００１４】前記柔軟性弾性板３００は、図１と図２に示すように原型を樹脂製の平板にして、裏面幅中央部を中心に裏面側に湾曲の弾性変形可能にしてある。【００１５】柔軟性弾性板３００は、図１に示すように、表面の所定部例えば湿布Ｓの大きさに応じて四隅に、湿布Ｓの裏面を接着保持する接着シート３０１を交換可能に配置する。接着シート３０１は布製、樹脂製、紙製等で表面に接着剤を塗布したものを用いて柔軟性弾性板３００の表面に貼り、その一部を裏返し折り面３０２にして湿布Ｓの裏面を接着する面にする。【００１６】これで柔軟性弾性板３００は、湿布Ｓを表面で当接支持し、湿布Ｓの裏面四隅を接着シート３０１の裏返し折り面３０２により接着支持する。【００１７】この状態の柔軟性弾性板３００は、図４に示すように、牽引機構４００により反背中側に湾曲させてストッパー４０４によりこの曲り状態を維持して湿布Ｓを患部に貼る準備を完了する。【００１８】牽引機構４００は前記曲り操作アーム２００の握り手２０１側から前部の曲り部２０２に亘って配置する。
前記牽引機構４００は、前記柔軟性弾性板３００の裏面の上下の各幅方向端部に接続して当該幅方向に亘る一対の張紐４０１と、これら各張紐４０１の中央部に連結し前記曲り操作アーム２００の一部パイプ内を通し握り手２０１に至らせて牽引可能に配置した牽引紐４０２と、前記牽引紐４０２の端部に形成したリング部４０３を係止するストッパー４０４とから構成してなる。【００１９】ストッパー４０４は、図３と図４に示すように、鍵型部４０４−１にして当該リング部４０３を係合して牽引紐４０２の牽引状態を維持し、鍵型部４０４−１から当該リング部４０３を外すのみで、牽引紐４０２の牽引状態を解除し柔軟性弾性板３００の湾曲弾性変形を元の形状に復元し、この復元力により前記柔軟性弾性板３００に保持した湿布Ｓの全面を背中の患部にパシッと確実に貼りつけることができる。
【産業上の利用可能性】
【００２０】本考案の湿布貼り具は、前記のように、優れた作用効果があり、一般家庭は勿論、医療器具業界に貢献すること多大なものがある。
【符号の説明】
【００２１】１００：湿布貼付具
２００：曲り操作アーム
２０１：握り手
２０２：曲り部
Ｓ：湿布
３００：柔軟性弾性板
３０１：接着シート
３０２：接着シートの一部
４００：牽引機構
４０１：張紐
４０２：牽引紐
４０３：リング部
４０４：ストッパー
４０４−１：鍵型部
【図１】
0003204957.tif 000003
【図２】
0003204957.tif 000004
【図３】
0003204957.tif 000005
【図４】
0003204957.tif 000006